【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
印刷媒体に印刷されるグラフィックオブジェクトの場所を判定する方法であり、前記グラフィックオブジェクトが複数の物体マークを含む方法であって、
事前定義済みの精度を有し且つ複数のパターンマークを含む２次元基準パターンを前記印刷されたグラフィックオブジェクト上に重畳するステップと、
走査済画像を生成するために前記重畳された印刷されたグラフィックオブジェクト及び２次元基準パターンを走査するステップと、
前記走査済画像の前記グラフィックオブジェクトの場所座標を判定するステップと、
前記場所座標と関連付けられ且つ前記グラフィックオブジェクトの場所を規定する基準パターン座標を判定するために前記走査済の２次元基準パターンに依存して前記場所座標を改良するステップとを備え、前記グラフィックオブジェクトは、前記場所座標の近傍に分離領域を有するように構成され、それにより前記基準パターン座標の近傍における前記物体マークによる前記パターンマークの隠蔽を最小限にすることを特徴とする方法。
【請求項２】
前記２次元基準パターンは、擬似ランダムノイズパターンであることを特徴とする請求項１記載の方法。
【請求項３】
前記グラフィックオブジェクトは、スペクトル拡散パターンを含むことを特徴とする請求項１記載の方法。
【請求項４】
前記グラフィックオブジェクトは、パッチの中心に前記場所座標を有する少なくとも１つのパッチの形態であることを特徴とする請求項１記載の方法。
【請求項５】
前記分離領域のサイズは、前記場所座標の判定の精度と前記基準パターン座標の判定の精度との妥協点を得るように選択されることを特徴とする請求項１記載の方法。
【請求項６】
前記２次元基準パターンは灰色の擬似ランダムノイズパターンであり、前記グラフィックオブジェクトはシアンのドット又はマゼンタのドット又はその双方を含むスペクトル拡散パターンであり、前記ノイズパターン及び前記グラフィックオブジェクトはＹＣｂＣｒ色空間におけるＣｒ色チャネルを利用することを特徴とする請求項１記載の方法。
【請求項７】
前記分離領域は、前記場所座標の近傍に複数の領域を含み、前記場所座標は前記分離領域の重心と一致することを特徴とする請求項１記載の方法。
【請求項８】
異なる走査色チャネルの間の相関を最適化することによりスキャナ位置ずれを減少させる更なるステップを含むことを特徴とする請求項６記載の方法。
【請求項９】
印刷媒体に印刷されるグラフィックオブジェクトの場所を判定する装置であり、前記グラフィックオブジェクトが複数の物体マークを含む装置であって、
事前定義済みの精度を有し且つ複数のパターンマークを含む２次元基準パターンを前記印刷されたグラフィックオブジェクト上に重畳する手段と、
走査済画像を生成するために前記重畳された印刷されたグラフィックオブジェクト及び２次元基準パターンを走査する手段と、
前記走査済画像の前記グラフィックオブジェクトの場所座標を判定する手段と、
前記場所座標と関連付けられ且つ前記グラフィックオブジェクトの場所を規定する基準パターン座標を判定するために前記走査済の２次元基準パターンに依存して前記場所座標を改良する手段とを備え、前記グラフィックオブジェクトは、前記場所座標の近傍に分離領域を有するように構成され、それにより前記基準パターン座標の近傍における前記物体マークによる前記パターンマークの隠蔽を最小限にすることを特徴とする装置。
【請求項１０】
コンピュータを、請求項９に記載の装置が有する各手段として機能させるためのコンピュータプログラム。
【請求項１１】
プリンタのプリントヘッドのヘッドサイズを判定する方法であって、
プリントヘッドに対して所定の関係を有する少なくとも２つのパッチを含むテストパターンを前記プリントヘッドを使用して印刷媒体に印刷するステップであり、前記少なくとも２つのパッチの各々はスペクトル拡散パターンを形成するように構成される複数の物体マークを含むステップと、
前記印刷媒体上に印刷された前記テストパターンと重畳される複数のパターンマークを含む２次元基準パターンにより前記印刷媒体の少なくとも一部を結像するステップと、
請求項１記載の方法に従って、前記走査済画像において前記２次元基準パターンに対する前記テストパターンの前記少なくとも２つのパッチの位置を特定するステップと、
前記少なくとも２つのパッチの場所から前記ヘッドサイズを判定するステップと
を備えることを特徴とする方法。
【請求項１２】
プリンタのプリントヘッドのヘッドサイズを判定する方法であって、
プリントヘッドに対して所定の関係を有する少なくとも２つのパッチを各々が有する複数の測定パターンを含むテストパターンを前記プリントヘッドを使用して印刷媒体に印刷するステップであり、各測定パターンの前記少なくとも２つのパッチの各々が１回の通過動作でスペクトル拡散パターンを形成するように構成される複数の物体マークを含み、各測定パターンが印刷媒体送り動作により隣接する測定パターンから分離され、後続する測定パターンのパッチの位置が前記パッチと先の測定パターンの前記少なくとも２つのパッチのうちの一方との間の注目方向の距離測定値を最小化するように特定されるステップと、
前記印刷媒体上に印刷された前記テストパターンと重畳される複数のパターンマークを含む２次元基準パターンにより前記印刷媒体の少なくとも一部を結像するステップと、
前記最小化された距離測定値を計算するステップと、
請求項１記載の方法に従って、前記走査済画像において１回の通過動作によるパッチ及び別の通過動作による別のパッチの位置を前記２次元基準パターンに対して特定するステップと、
前記最小化された距離測定値及び前記測定パターンの前記パッチの場所から前記ヘッドサイズを判定するステップと
を備えることを特徴とする方法。
【請求項１３】
前記印刷媒体上に複数の測定パターンを印刷することに依存して全体的な空間位置合わせ特性を提供するためにヘッドサイズを統計的に組み合わせるステップと、複数のヘッドサイズを計算するステップとを更に含むことを特徴とする請求項１１記載の方法。
【請求項１４】
プリンタの空間位置合わせ特性を判定する方法であって、
所定の測定点において複数のパッチを含むテストパターンをプリントヘッドを使用して前記印刷媒体上に印刷するステップであり、前記パッチの各々がスペクトル拡散パターンを形成するように構成された複数の物体マークを含むステップと、
前記印刷媒体上に印刷された前記テストパターンと重畳される複数のパターンマークを含む２次元基準パターンにより前記印刷媒体の少なくとも一部を結像するステップと、
請求項１記載の方法に従って、前記２次元基準パターンに対する前記少なくとも２つのパッチの位置を前記走査済画像において特定するステップと、
前記少なくとも２つのパッチの場所から空間位置合わせ特性を判定するステップと
を備えることを特徴とする方法。
【請求項１５】
前記テストパターンは、前記プリントヘッドの種々の印刷通過動作で印刷されるパッチを含むことを特徴とする請求項１４記載の方法。
【請求項１６】
前記テストパターンは２つのパッチを含み、一方のパッチは前記印刷媒体上に同一の印刷通過動作で他方のパッチの上に垂直に印刷されることを特徴とする請求項１４記載の方法。
【請求項１７】
前記テストパターンは３つのパッチを含み、２つのパッチは、前記２つのパッチのうち一方の位置が前記２つのパッチのうち他方の上に垂直方向に特定されるようにノズルバンクにより印刷され、前記３つのパッチのうち残りのパッチは異なるノズルバンクにより中央に印刷され、全てのパッチは同一の通過動作で印刷されることを特徴とする請求項１４記載の方法。
【請求項１８】
前記テストパターンは３つのパッチを含み、２つのパッチは、前記２つのパッチのうち一方の位置が前記２つのパッチのうち他方の上に垂直方向に特定されるようにノズルバンクにより印刷され、前記３つのパッチのうち残りのパッチは、前記印刷媒体が進むことなく異なる通過動作により中央に印刷されることを特徴とする請求項１４記載の方法。
【請求項１９】
請求項１０に記載のコンピュータプログラムを格納した、コンピュータ読み取り可能な記憶媒体。